(57)【要約】【課題】録画されている各コンテンツが視聴済みであるか未視聴であるかをユーザが容易に識別できる録画再生装置を提供する。【解決手段】コンテンツ情報管理部１３は、記録媒体１５に記録されているコンテンツが視聴済みであるか未視聴であるかを示す視聴情報を含むコンテンツ情報を生成し、コンテンツ情報表示処理部１７は、コンテンツ情報管理部１３で生成したコンテンツ情報の視聴情報に基づいて、視聴済みのコンテンツのサムネイル画像が未視聴のコンテンツのサムネイル画像よりも大きく表示されるようにコンテンツ一覧画像を生成する。【選択図】図１
2007312173.tif 000002
【特許請求の範囲】
【請求項１】
映像コンテンツを記録媒体に記録再生する録画再生装置であって、
前記記録媒体に記録されている映像コンテンツが視聴済みであるか未視聴であるかを示す視聴情報を含むコンテンツ情報を生成し保持するコンテンツ情報生成手段と、
前記記録媒体に記録されている各映像コンテンツを識別するための前記各映像コンテンツのそれぞれに対応した各代表画像を縮小したサムネイル画像を生成し、生成した前記各映像コンテンツのサムネイル画像を配列して、前記記録媒体に記録されている前記各映像コンテンツを一覧表示するためのコンテンツ一覧画像を生成する一覧画像生成手段とを備え、
前記一覧画像生成手段は、前記コンテンツ情報に含まれる前記視聴情報に基づいて、視聴済みの映像コンテンツのサムネイル画像と未視聴の映像コンテンツのサムネイル画像とが異なる大きさで表示されるように前記コンテンツ一覧画像を生成することを特徴とする録画再生装置。
【発明の詳細な説明】
【技術分野】
【０００１】
本発明は、放送番組などを録画する録画再生装置に関する。
【背景技術】
【０００２】
近年、放送番組などを録画する録画再生装置として、ハードディスクや光ディスクなどの記録媒体に記録するデジタルディスクレコーダ装置が広く利用されている。このような録画再生装置において、録画したコンテンツの中から再生したいコンテンツを選択する場合には、番組名によるリスト一覧表示や録画コンテンツの代表映像を縮小したサムネイル一覧画像を表示し、カーソルを所望するコンテンツへ合わせることにより選択する方法が一般的となっている。
【０００３】
サムネイルの表示形態は、録画コンテンツの代表画像を画一的なサイズに縮小し表示する方法が実現されている。また、特許文献１に開示されているように、録画コンテンツのデータ量に応じて大きさを変化させる表示方法も提案されている。
【特許文献１】特開２００３−２８１８６４号公報
【発明の開示】
【発明が解決しようとする課題】
【０００４】
デジタルディスクレコーダ装置に搭載された記録媒体、例えばハードディスクの容量は、年々増加している。記録媒体の容量に余裕があるため、ユーザは記録媒体の残容量をあまり気にせずに多くのコンテンツを録画する場合も多い。
【０００５】
このため、同時に多くのコンテンツを予約し、録画したコンテンツを時間があるときに視聴しようとする場合、録画されたコンテンツの数量が多いため、各コンテンツが視聴済みなのか未視聴なのかの識別が困難であるという問題があった。
【０００６】
そこで本発明は、録画されている各コンテンツが視聴済みであるか未視聴であるかをユーザが容易に識別できる録画再生装置を提供することを目的とする。
【課題を解決するための手段】
【０００７】
上記目的を達成するため、本発明の録画再生装置は、映像コンテンツを記録媒体に記録再生する録画再生装置であって、前記記録媒体に記録されている映像コンテンツが視聴済みであるか未視聴であるかを示す視聴情報を含むコンテンツ情報を生成し保持するコンテンツ情報生成手段と、前記記録媒体に記録されている各映像コンテンツを識別するための前記各映像コンテンツのそれぞれに対応した各代表画像を縮小したサムネイル画像を生成し、生成した前記各映像コンテンツのサムネイル画像を配列して、前記記録媒体に記録されている前記各映像コンテンツを一覧表示するためのコンテンツ一覧画像を生成する一覧画像生成手段とを備え、前記一覧画像生成手段は、前記コンテンツ情報に含まれる前記視聴情報に基づいて、視聴済みの映像コンテンツのサムネイル画像と未視聴の映像コンテンツのサムネイル画像とが異なる大きさで表示されるように前記コンテンツ一覧画像を生成することを特徴とする。
【発明の効果】
【０００８】
本発明の録画再生装置は、記録媒体に記録されている映像コンテンツが視聴済みであるか未視聴であるかを示す視聴情報に基づいて、視聴済みの映像コンテンツのサムネイル画像と未視聴の映像コンテンツのサムネイル画像とが異なる大きさで表示されるようにコンテンツ一覧画像を生成するので、ユーザはコンテンツ一覧画像を一望するだけで、各映像コンテンツが視聴済みであるか未視聴であるかを容易に識別することができる。
【発明を実施するための最良の形態】
【０００９】
以下、本発明の録画再生装置を実施するための最良の形態について、図面を参照して説明する。
【００１０】
図１は本発明の一実施の形態に係る録画再生装置の構成を示すブロック図である。図１に示すように本実施の形態の録画再生装置１０は、信号入力部１１と、記録部１２と、コンテンツ情報管理部１３と、記録媒体制御部１４と、記録媒体１５と、再生部１６と、コンテンツ情報表示処理部１７と、表示部１８と、操作入力部１９と、制御部２０とを備える。
【００１１】
信号入力部１１は、所望のチャンネルの放送信号を受信して受信信号を得る。記録部１２は、受信信号を保存に適したフォーマットの記録信号に変換する。例えば、信号入力部１１に入力される信号がアナログの場合には、記録部１２でＭＰＥＧデジタルストリームに圧縮符号化する。
【００１２】
コンテンツ情報管理部１３は、記録媒体１５に記録されているコンテンツの番組名、録画日時、コンテンツが視聴済みであるか未視聴であるかを示す視聴情報等を含むコンテンツ情報を生成し、生成したコンテンツ情報を保持する。また、コンテンツ情報管理部１３は、各コンテンツを識別するための代表画像のデータを各コンテンツの記録信号から取得して保持する。例えば、ＭＰＥＧで符号化されたＩフレームの画像（イントラフレーム符号化画像）を代表画像として取得する。
【００１３】
記録媒体制御部１４は、記録部１２からの記録信号を記録媒体１５に記録し、再生時には記録媒体１５から記録信号を読み出す。記録媒体１５は、例えば、ハードディスクからなる。再生部１６は、記録媒体１５から読み出された記録信号をフォーマット変換して表示部１８に出力する。例えば、記録媒体１５にＭＰＥＧデジタルストリームに圧縮符号化された符号化データが記録されている場合は、再生部１６は、符号化データを復号して表示部１８に出力する。
【００１４】
コンテンツ情報表示処理部１７は、記録媒体１５に記録されている各コンテンツの代表画像を縮小したサムネイル画像を生成し、生成した各コンテンツのサムネイル画像を配列して、記録媒体１５に記録されている各コンテンツを一覧表示するためのコンテンツ一覧画像を生成する。表示部１８は、録画再生装置１０に接続されたモニタに映像を表示するための制御信号を生成して、そのモニタに出力する。
【００１５】
操作入力部１９は、ユーザの操作に基づく指示を制御部２０に出力する。制御部２０は、録画再生装置１０に設けられた各部を制御する。
【００１６】
次に、本実施の形態に係る録画再生装置の動作を説明する。記録時は、制御部２０の制御の下、選局された所望チャンネルの放送信号が信号入力部１１により選択受信され、ベースバンド帯の受信信号に変換されて記録部１２に供給される。そして、受信信号は、記録部１２において、例えばＭＰＥＧ等の画像符号化方式で圧縮符号化され、生成された符号化データはコンテンツ情報管理部１３を通過して記録媒体制御部１４に供給され、記録媒体１５に記録される。
【００１７】
そして、コンテンツ情報管理部１３は、図２に示すコンテンツ情報を生成する。図２はコンテンツ情報管理部で生成されるコンテンツ情報の一例を示す図である。図２において、番組名欄３１は、記録媒体１５に記録されているコンテンツの名称を保持する。チャンネル欄３２は、そのコンテンツを受信するためのチャンネル情報を保持する。録画日時欄３３は、録画を行った日時を保持する。視聴情報欄３４は、そのコンテンツが視聴済みであるか未視聴であるかを示す情報を保持する。視聴日時欄３５は、そのコンテンツを視聴した日時を保持する。
【００１８】
番組名、チャンネル等の情報は、放送信号として提供される電子番組表（ＥＰＧ）から取得するが、番組名欄３１には、ユーザが操作入力部１９を用いて入力した名称を記述してもよい。また、記録時においては未だ視聴を行っていないので、視聴情報欄３４には「未」を記述する。
【００１９】
次に、再生時にモニタに表示するコンテンツ一覧画像を生成する手順を説明する。図３はコンテンツ一覧画像を生成する手順を示すフローチャートである。
【００２０】
本発明においては、コンテンツ一覧画像は、記録媒体１５に記録されているコンテンツの代表画像を縮小したサムネイル画像を配列して一覧表示するサムネイル形式とする。各コンテンツの代表画像は、例えば、コンテンツの最初の画像であり、記録時にコンテンツ情報管理部１３が各コンテンツの記録信号から取得して保持している。
【００２１】
ユーザ操作に基づくコンテンツ一覧表示指示が操作入力部１９から入力されると、ステップＳ１０において、制御部２０は、記録媒体１５に記録されているコンテンツのうちの１つについて、コンテンツ情報を参照して視聴情報を取得する。
【００２２】
次いで、ステップＳ２０では、制御部２０は、取得した視聴情報に基づいて、そのコンテンツが未視聴であるかどうかを判断する。未視聴である（ＹＥＳ）場合、ステップＳ３０において、制御部２０は、コンテンツ情報管理部１３からそのコンテンツの代表画像を取得して、小さく表示されるサムネイル画像を生成するようにコンテンツ情報表示処理部１７を制御する。
【００２３】
未視聴でない（ＮＯ）場合、ステップＳ４０において、制御部２０は、コンテンツ情報管理部１３からそのコンテンツの代表画像を取得して、未視聴のコンテンツのサムネイル画像よりも大きく表示されるサムネイル画像を生成するようにコンテンツ情報表示処理部１７を制御する。
【００２４】
そして、ステップＳ５０において、制御部２０は、モニタの画面に一度に表示可能な数のサムネイル画像をすべて生成したかどうかを判断する。すべて生成した（ＹＥＳ）場合、生成したサムネイル画像を配列したコンテンツ一覧画像を、表示部１８を介してモニタに表示する。すべては生成していない（ＮＯ）場合、ステップＳ１０に戻り、以降の処理を繰り返す。
【００２５】
図４はコンテンツ一覧画像の表示画面の一例を示す図である。図４に示すように、本実施形態では、モニタ画面４０のサムネイル表示枠４１内に１つのコンテンツの情報を表示する。図４では、コンテンツの情報として、サムネイル画像４２と、コンテンツの番組名欄４３とを表示している。
【００２６】
図４において、サムネイル画像４２は未視聴のコンテンツであることを示し、サムネイル画像４２よりも大きく表示されるサムネイル画像４４は視聴済みのコンテンツであることを示す。
【００２７】
ユーザは、図４に示す表示画面に基づいて操作入力部１９を操作し、再生するコンテンツを選択することができる。ユーザ操作に基づく再生指示が操作入力部１９から制御部２０に入力されると、制御部２０の制御の下、記録媒体１５より記録媒体制御部１４に読み出された符号化データは再生部１６に供給され、ここで復号される。復号された信号は表示部１８を介してモニタに出力される。
【００２８】
また、未視聴のコンテンツが選択されて再生指示が入力されると、制御部２０は、コンテンツ情報管理部１３が保持しているコンテンツ情報の、選択されたコンテンツの視聴情報欄３４を「未」から「済」に変更するようにコンテンツ情報管理部１３を制御する。
【００２９】
図４において未視聴のコンテンツであるタイトルＤを選択して再生した後、コンテンツ一覧画像を表示した場合の表示例を図５に示す。図５に示すように、図４のサムネイル画像４２が、視聴済みコンテンツであることを示す大きなサムネイル画像４５に変更して表示される。
【００３０】
このように、本実施の形態の録画再生装置によれば、記録媒体１５に記録されているコンテンツが視聴済みであるか未視聴であるかを示す視聴情報を含むコンテンツ情報を生成し、生成したコンテンツ情報の視聴情報に基づいて、視聴済みのコンテンツのサムネイル画像が未視聴のコンテンツのサムネイル画像よりも大きく表示されるようにコンテンツ一覧画像を生成して表示するので、ユーザはコンテンツ一覧画像を一望するだけで、各コンテンツが視聴済みであるか未視聴であるかを容易に識別することができる。
【００３１】
なお、上記説明では、視聴済みのコンテンツのサムネイル画像が未視聴のコンテンツのサムネイル画像よりも大きく表示されるようにしたが、コンテンツが視聴済みであるか未視聴であるかをサムネイル画像の大きさで識別できればよいので、未視聴のコンテンツのサムネイル画像が視聴済みのコンテンツのサムネイル画像よりも大きく表示されるようにしてもよい。
【図面の簡単な説明】
【００３２】
【図１】本発明の一実施の形態に係る録画再生装置の構成を示すブロック図である。
【図２】コンテンツ情報の一例を示す図である。
【図３】コンテンツ一覧画像を生成する手順を示すフローチャートである。
【図４】コンテンツ一覧画像の表示画面の一例を示す図である。
【図５】コンテンツ一覧画像の表示画面の他の例を示す図である。
【符号の説明】
【００３３】
１０    録画再生装置
１１    信号入力部
１２    記録部
１３    コンテンツ情報管理部
１４    記録媒体制御部
１５    記録媒体
１６    再生部
１７    コンテンツ情報表示処理部
１８    表示部
１９    操作入力部
２０    制御部
４０    モニタ画面
４１    サムネイル表示枠
４２，４４，４５    サムネイル画像
【図１】
2007312173.tif 000003
【図２】
2007312173.tif 000004
【図３】
2007312173.tif 000005
【図４】
2007312173.tif 000006
【図５】
2007312173.tif 000007